(57)【要約】【課題】例えば自動車やオートバイに搭載される計器装置に関し、コストダウンを達成できる計器装置を提供する。【解決手段】駆動本体Ｍと、この駆動本体Ｍに連結された指針８と、指標部を有する第１の表示板（表示板）６と、表示板用光源ＬＤと、表示板用導光体４４と、液晶パネル４６と、液晶用光源ＬＰと、液晶用導光体４３と、回路基板２とを備え、各光体４４，４３のそれぞれに各光源ＬＤ，ＬＰの光がエッヂライト方式にて入射するように配置してなる計器装置において、各光源ＬＤ，光源ＬＰをそれぞれ実装してなる第１の基板部４８１と第２の基板部４８２とを連続して有する光源基板４８を設けてなる。【選択図】図６
2011158285.tif 000002
【特許請求の範囲】
【請求項１】
駆動本体と、この駆動本体に連結された指針と、この指針によって指示される指標部を有する表示板と、この表示板を照明する表示板用光源と、この表示板用光源の光を前記表示板に導く表示板用導光体と、各種情報を表示する液晶パネルと、この液晶パネルを照明する液晶用光源と、この液晶用光源の光を前記液晶パネルに導く液晶用導光体と、前記表示板及び前記液晶パネルの背後で前記駆動本体と前記液晶パネルとが電気接続される回路基板とを備え、表示板用導光体と前記液晶用導光体のそれぞれに前記表示板用光源と前記液晶用光源の光がエッヂライト方式にて入射するように表示板用導光体と前記液晶用導光体のそれぞれの側端面に形成した各受光面に前記表示板用光源と前記液晶用光源を対向配置してなる計器装置において、前記液晶用導光体の前記受光面と対向する第１の基板部と前記表示板用導光体の前記受光面と対向する第２の基板部とを連続して有する光源基板を設け、前記各基板部に前記表示板用光源と前記液晶用光源をそれぞれ実装してなることを特徴とする計器装置。
【請求項２】
少なくとも前記液晶パネル及び前記液晶用導光体を支持する金属製のベース部材を有し、このベース部材に前記光源基板を取り付けてなることを特徴とする請求項１記載の計器装置。
【請求項３】
前記表示板用導光体と前記液晶用導光体とを連結部を介して一体化してなることを特徴とする請求項１記載の計器装置。
【請求項４】
液晶パネルと、前記表示板用導光体と、前記液晶用導光体と、前記光源基板とを所定部材を通じて結合してなることを特徴とする請求項１記載の計器装置。
【発明の詳細な説明】
【技術分野】
【０００１】
本発明は、例えば自動車やオートバイに搭載される計器装置に関し、特に車速やエンジン回転数等の計測量を指示する指針式計器と、様々な情報を表示する液晶表示器とを組み込んでなるコンビネーションメータと称される計器装置に関する。
【背景技術】
【０００２】
この種の計器装置として例えば下記特許文献１に記載されたものが知られている。この計器装置は、ステッピングモータ等の駆動本体と、この駆動本体に連結された指針と、この指針によって指示される指標部を有する表示板と、この表示板の背後に配置された表示板用導光体と、様々な情報を表示する液晶パネルと、この液晶パネルの背後に配置された液晶用導光体と、少なくとも駆動本体と液晶パネルとが電気接続されると共に表示板用導光体と液晶用導光体とを通じて表示板と液晶パネルとを照明するための例えば発光ダイオードからなる光源が実装された回路基板とを備えている。
【０００３】
前記特許文献１記載の計器装置は、回路基板上の各光源の光を表示板用導光体及び液晶用導光体に入射させて表示板と液晶パネルの双方を照明するようにしているが、表示板用導光体及び液晶用導光体の厚み方向に光源を配置する構成であるため、照明ムラを考慮して光源の数を増やす必要がある他、各導光体と光源との位置関係から導光体の厚み方向の寸法が大きくなりやすいといった事情があった。
【０００４】
そこで、下記特許文献２，３に記載されているようにエッヂライト（サイドライト）方式の照明手法にて液晶パネルや表示板を照明するものが知られている。 下記特許文献２記載の計器装置は、液晶パネルをエッジライト方式にて照明するもので、利用者の視認方向を液晶用導光体の厚み方向としたとき、厚み方向とは直交する液晶用導光体の側端面に光源を配置し、当該側端面から光源の光を導入し面発光する構成となっている。また下記特許文献３記載の計器装置は、表示板をエッジライト方式にて照明するもので、利用者の視認方向を表示板用導光体の厚み方向としたとき、厚み方向とは直交する表示板用導光体の側端面に光源を配置し、当該側端面から光源の光を導入し面発光する構成となっている。
【先行技術文献】
【特許文献】
【０００５】
【特許文献１】特開平１１−１６０１１３号公報
【特許文献２】特開２００６−１２６０７１号公報
【特許文献３】特開２００７−１３９７９１号公報
【発明の開示】
【発明が解決しようとする課題】
【０００６】
しかしながら、前記特許文献２，３に基づいて指針式計器と液晶表示器の双方を単にエッヂライト照明するだけでは、液晶用光源を実装する回路基板と、表示板用光源を実装する回路基板とからなる複数の回路基板に加え、場合によっては光源の放熱を行う放熱部材も複数必要となり、コストが高くなる。特に近年、液晶パネルに駆動回路と駆動用プリント基板、バックライト等を取り付けてユニット化した市販の液晶モジュールを使用するケースが増加しており、このような液晶モジュールを使用する場合は、液晶モジュール自体に液晶用光源が組み込まれるため、表示板用光源のための専用の回路基板が必要である。
【０００７】
そこで、本発明は前述した問題点に着目し、コストダウンを達成できる計器装置を提供することを目的とする。
【課題を解決するための手段】
【０００８】
本発明は、駆動本体と、この駆動本体に連結された指針と、この指針によって指示される指標部を有する表示板と、この表示板を照明する表示板用光源と、この表示板用光源の光を前記表示板に導く表示板用導光体と、各種情報を表示する液晶パネルと、この液晶パネルを照明する液晶用光源と、この液晶用光源の光を前記液晶パネルに導く液晶用導光体と、前記表示板及び前記液晶パネルの背後で前記駆動本体と前記液晶パネルとが電気接続される回路基板とを備え、表示板用導光体と前記液晶用導光体のそれぞれに前記表示板用光源と前記液晶用光源の光がエッヂライト方式にて入射するように表示板用導光体と前記液晶用導光体のそれぞれの側端面に形成した各受光面に前記表示板用光源と前記液晶用光源を対向配置してなる計器装置において、前記液晶用導光体の前記受光面と対向する第１の基板部と前記表示板用導光体の前記受光面と対向する第２の基板部とを連続して有する光源基板を設け、前記各基板部に前記表示板用光源と前記液晶用光源をそれぞれ実装してなることを特徴とする。
このように構成したことにより、前記表示板用光源を実装する光源基板と前記液晶用光源を実装する光源基板を共通化できるため、光源基板が一枚で済み、コストダウンを達成することができる。
【０００９】
また本発明は、少なくとも前記液晶パネル及び前記液晶用導光体を支持する金属製のベース部材を有し、このベース部材に前記光源基板を取り付けてなることを特徴とする。
このように構成したことにより、光源基板を取り付けるための専用部品が不要となり、また前記表示板用光源と前記液晶用光源の放熱をベース部材で行うことで放熱部材を共通化できるため、更なるコスト削減が可能となる。
【００１０】
また本発明は、前記表示板用導光体と前記液晶用導光体とを連結部を介して一体化してなることを特徴とする。
このように構成したことにより、部品点数を削減し、更なるコスト削減が可能となる。
【００１１】
また本発明は、液晶パネルと、前記表示板用導光体と、前記液晶用導光体と、前記光源基板とを所定部材を通じて結合してなることを特徴とする。
このように構成したことにより、組付けを容易とし、更なるコスト削減が可能となる。
【発明の効果】
【００１２】
本発明によれば、コストダウンを達成できる計器装置を提供することができる。
【図面の簡単な説明】
【００１３】
【図１】本発明の第１の実施形態による計器装置を前面側から見た時の斜視図。
【図２】同計器装置を前面側から見たときの分解斜視図。
【図３】同計器装置を背面側から見たときの分解斜視図。
【図４】同計器装置に組み込まれる照明ユニットを前方から見たときの斜視図。
【図５】同照明ユニットの分解斜視図。
【図６】図１のＡ−Ａ断面図（ハッチング省略）。
【図７】同計器装置に組み込まれる台座部材の斜視図。
【図８】本発明の第２の実施形態による照明ユニットの概略正面図。
【発明を実施するための形態】
【００１４】
（第１の実施形態）
本発明の第１の実施形態による計器装置は、図１〜図３に示すように、背面カバー１と、回路基板２と、支持部材３と、照明ユニット４と、パネル部材５と、第１の表示板６と、第２の表示板７と、指針８とを備えている。
【００１５】
背面カバー１は、例えば遮光性もしくは透光性を有する合成樹脂によって前方が開口する有底枠体に形成され、この実施形態では回路基板２、支持部材３と、照明ユニット４、パネル部材５、第１の表示板６、第２の表示板７を収納している。
【００１６】
なおパネル部材５の前面には、化粧パネルや透明カバーが配置されるが、これらは図示省略されている。
【００１７】
回路基板２は、例えばガラスエポキシ系材料または紙フェノールからなる硬質の絶縁部材を基材とするもので、図示しない回路パターンが印刷形成されている。この回路基板には、図示省略した各種インジケータ類や後述する補助計器の指針８や後述する指標部を照明する発光ダイオードＬ、各用途に応じた複数個の駆動本体Ｍ、後に詳述する照明ユニット４、後述する台座部材９等が装着固定されている。
【００１８】
駆動本体Ｍは、例えば指針軸Ｓを有するステッピングモータが適用され、回路基板２の背面側に本体部が装着され、指針軸Ｓは回路基板２を貫通して前方に突出（貫通）している。本実施形態では計器（指針８）の数に応じて４個の駆動本体Ｍが用いられている。
【００１９】
支持部材３は、例えば乳白色の合成樹脂からなり、回路基板２の前面に配置され、回路基板２の外形に沿った周壁３１と、パネル部材５を背後から支持する第１の支持部３２と、第１の表示板６を背後から支持する第２の支持部３３と、照明ユニット４に対応した第１の切欠部３４と、照明ユニット４の後述する出射面が臨む第２の切欠部３５と、この第２の切欠部３５を通じて取り入れた光を第１の表示板６側に反射する反射板部（反射部材）３６とを有している。
【００２０】
第２の支持部３３は、第１の表示板６の外形に沿った円筒形に形成され、その一部が照明ユニット４の前面を横切るように形成される。
【００２１】
反射板部３６は、図６に示すように、照明ユニット４から遠ざかるに従って第１の表示板６に近づく傾斜面として形成されている。
【００２２】
照明ユニット４は、図４，図５に示すように、背面フレーム（ベース部材）４１と、第１の中間フレーム４２と、液晶用導光体４３と、文字板用導光体４４と、第２の中間フレーム４５と、液晶パネル４６と、前面フレーム４７とからなる。
【００２３】
背面フレーム４１は、例えば金属板をプレス抜きした後に折り曲げ加工を施すことにより、底板部４１１と、この底板部４１１の周囲を取り巻く側壁部４１２，４１３とを形成してなるもので、照明ユニット４のシャーシ部材として、第１の中間フレーム４２と、液晶用導光体４３と、表示板用導光体４４と、第２の中間フレーム４５と、液晶パネル４６と、前面フレーム４７とを支持する他、後述する液晶用光源と表示板用光源の熱を放熱する放熱部材や各種ノイズ、静電気等を遮断するシールド部材としても機能する。
【００２４】
底壁部４１１には、表示板用導光体４４に対応した幅広部が形成されている。また側壁部４１２，４１３のうち、各導光体４３，４４の後述する受光面に対応する側壁部４１３は、光源基板４８を取り付けるための取付部として設けられ、前記受光面位置に応じて屈曲形成されている。
【００２５】
光源基板４８は、側壁部４１３に沿って細長く伸びる例えばＦＰＣ（フレキシブル・プリント・サーキット）からなり、液晶用導光体４３の前記受光面と対向する第１の基板部４８１と、表示板用導光体４４の前記受光面と対向する第２の基板部４８２とを連続して有する。
【００２６】
第１の基板部４８１には、液晶用光源ＬＰが複数（４）個、長手方向に沿って等間隔に実装され、また第２の基板部４８２にも表示板用光源ＬＤが複数個（表示板用導光体４４の数に応じて計４個）、長手方向に沿って間隔を空けて実装され、各光源ＬＰ，ＬＤの発光軸は、各導光体４３，４４の側端面に位置する前記各受光面に向けられ、これにより各導光体４３，４４は側端面に位置する前記各受光面から各光源ＬＰ，ＬＤの光をエッヂライト方式にて入射させ、面発光する構成となっている。液晶用光源ＬＰと表示板用光源ＬＤは共に発光ダイオードからなる。
【００２７】
第１の中間フレーム４２は、例えば白色の合成樹脂からなり、液晶用導光体４３を収容する収納部４２１と、表示板用導光体４４を背後から支持する一対の導光体支持部４２２とを有し、収納部４２１と導光体支持部４２２との間には、各導光体４３，４４どうしを仕切る仕切壁４２３が形成され、この仕切壁４２３には、各導光体４３，４４を連結する後述する連結部を通すための切欠部４２４が複数形成されている。
【００２８】
液晶用導光体４３は、透光性合成樹脂によって、液晶用光源ＬＰから遠ざかるに従って厚みが薄くなる正面視長方形の板材として形成され、その液晶用光源ＬＰと対向する側端面には、液晶用光源ＬＰからの光を受光する受光面４３１が、液晶パネル４６に対向する前面部は受光面４３１からの光を液晶パネル４６側に出射する出射面４３２がそれぞれ形成されている。なおこの場合、液晶用導光体４３を正面視四角形状としたのは、液晶用導光体４３を液晶パネル４６の形状に対応させたものである。
【００２９】
表示板用導光体４４は、透光性合成樹脂によって、その主要部が正面視長方形の液晶用導光体４３の長辺に沿って伸びる横断面四角形状の直方体（棒状体）に形成され、液晶用導光体４３の両サイドに隣接して２個、設けられている。
【００３０】
各表示板用導光体４４は、連結部４９を通じて液晶用導光体４３と連続（一体）形成されており、表示板用光源ＬＤと対向する側端面に形成され、表示板用光源ＬＤからの光を受光する受光面４４１と、この受光面４４１から導入した光を液晶用導光体４３側とは反対側に出射する出射面４４２と、受光面４４１から導入した光を出射面４４２の出射方向とは若干異なる特定方向に出射する出射面４４３と、液晶用導光体４３との隣接方向において出射面４４２に対向し受光面４４１からの光を出射面４４２側に反射する略鋸歯状の反射部４４４と、受光面４４１からの光を出射面４４３側に反射する反射溝４４５とがそれぞれ形成されている。
【００３１】
第２の中間フレーム４５は、例えば白色の合成樹脂からなり、第１の中間フレーム４２の収納部４２１と共に液晶用導光体４３を収容する収納部４５１と、表示板用導光体４４を前面側から覆う一対の覆い部４５２と、液晶パネル４６を背後から保持する保持部４５３とが形成されている。
【００３２】
覆い部４５２には、表示板用導光体４４の光を後述する重なり部に向けて透過するための透光孔４５４が形成されている。
【００３３】
液晶パネル４６は、例えばＴＦＴ（薄膜トランジスタ）型の液晶パネルからなり、様々な車両情報や画像等を表示する。
【００３４】
前面フレーム４７は、例えば金属板をプレス抜きした後に折り曲げ加工を施すことにより、底板部（前板部）４７１と、この底板部４１１の周囲を取り巻く側壁部４７２とを形成してなるもので、この場合、底板部４７１には、液晶パネル４６を透視可能な窓部４７
【００３５】
以上のごとく形成される背面フレーム４１と、第１の中間フレーム４２と、液晶用導光体４３と、文字板用導光体４４と、第２の中間フレーム４５と、液晶パネル４６と、前面フレーム４７は、背面フレーム４１の前方に第１の中間フレーム４２を、第１の中間フレーム４２の前方に各導光体４３，４４を、各４３，４４の前方に第２の中間フレーム４５を、第２の中間フレーム４５の前方に液晶パネル４６を、液晶パネル４６の前方に前面フレーム４７を、それぞれ積層状態に順次組付けることで、液晶パネル４６と、この液晶パネル４６をバックライト照明する液晶用導光体４３と、後述する表示板をバックライト照明する表示板用導光体４４と、各導光体４３，４４に光を供給する各光源ＬＰ，ＬＤと、これら光源ＬＰ，ＬＤを支持する光源基板４８とを結合し一体化してなる照明ユニット４を構成する。
【００３６】
この際、背面フレーム４１と、第１の中間フレーム４２と、第２の中間フレーム４５と、前面フレーム４７は、液晶パネル４６と、表示板用導光体４４と、液晶用導光体４３と、光源基板４８を結合する所定部材となると共に、このように前記所定部材を介して一体化してなる照明ユニット４は、その組み立て完成状態で、表示板用導光体４４の出射面４４２，４４３を導光体支持部４２２と覆い部４５２との間から露出させてなる。
【００３７】
このように構成された照明ユニット４は、図２において、各光源ＬＰ，ＬＤ側が下方に位置し、出射面４４２，４４３が左右方向に露出し、液晶パネル４６が前方を向き、背面フレーム４１が背後方向を向くように回路基板２の中央部にビス留め固定される。なお図２中、上下左右方向及び前方、背後方向とは、実際の使用状態において利用車が計器装置を正面視したときの方向に一致する。
【００３８】
また支持部材３を回路基板２上に組付けた際、照明ユニット４は、その液晶パネル４６の表示面が第１の切欠部３４に臨み、出射面４４２，４４３が第２の切欠部３５に臨む。
【００３９】
パネル部材５は、支持部材３の外形に対応した形状の透光性合成樹脂板にスクリーン印刷等を施してなり、例えば全体の背景色は黒色で、図２中、水温計ＴＥからなる補助計器を構成する最も左側に位置する指針８に対応する指標部（図示しない）と、燃料計ＦＵからなる補助計器を構成する最も右側に位置する指針８に対応する指標部（図示しない）とが形成されている。また第１の表示板６に対応するパネル部材５箇所には、第１の表示板６に対応すると共に支持部材３の第２の支持部３３を挿入してパネル部材５から前方に突出させるための開口孔５１が二つ形成されている。
【００４０】
第１の表示板６は、円板形の透光性合成樹脂板にスクリーン印刷等を施してなり、パネル部材５の開口孔５１に対応して二つ設けられている。これら第１の表示板６は、例えば全体の背景色が黒色で、図２中、左から２番目の指針８に対応する速度計ＳＰからなる主計器を構成する第１の表示板６には、速度計用の数字からなる透光性の指標部（図示しない）が形成され、図２中、右から２番目の指針８に対応するエンジン回転計ＴＡからなる主計器を構成する第１の表示板６には、エンジン回転計用の数字からなる透光性の指標部（図示しない）が形成されている。またこれら第１の表示板６の外周部には図示しない環状透光部が形成され、この環状透光部を介して第２の表示板７側に光を透過する構成となっている。
【００４１】
第２の表示板７は、所定色を有する背景中に速度計用の目盛からなる透光性の指標部が印刷形成された透光性合成樹脂板を絞り成型することにより、径方向の断面形状が山形の環状部材として形成され、支持部材３の第２の支持部３３の外壁側部と第１の表示板６の外周縁を覆うように配置される。第２の表示板７の前記指標部は第１の表示板６の環状透光部を介して照明される。なお図１〜図３では、速度計ＳＰだけに第２の表示板７を設け、エンジン回転計ＴＡ側に設ける第２の表示板７は省略している。
【００４２】
各指針８は例えば透光性合成樹脂からなる指示部８１と、この指示部８１の回転中心部を覆うキャップ８２とで構成され、駆動本体Ｍの指針軸Ｓに連結され、パネル部材５及び第１の表示板６上を計測量に応じて軸回り回転する。
【００４３】
これら指針８のうち、速度計ＳＰとエンジン回転計ＴＡを構成する指針８は、他の補助計器用の指針８とは異なり、図６に示すようにキャップ８２内に指針用光源ＬＮとこの指針用光源ＬＮを実装する指針基板８３とを内蔵している。
【００４４】
指針用光源ＬＮは、例えば発光ダイオードからなり、発光部が指示部８１側を向くように指針基板８３に実装されている。
【００４５】
指針基板８３は、指針用光源ＬＮに連なる接続パターン（図示しない）と、後述する電磁界発生手段との電磁誘導作用（磁界発生手段の電磁界）に応じて電力を発生させるコイルパターン（電力発生手段）８４とを形成する銅箔回路パターンが形成されている。なお電力発生手段は、コイルボビンに導線を巻いたものでもよい。
【００４６】
コイルパターン８４は、指針基板８３の背面（前記電磁界発生手段側）に、前記電磁界発生手段に対向するように渦巻き状に形成され、指針用光源ＬＮとは、スルーホールを通じて接続されている。
【００４７】
台座部材９は、遮光性または透光性を有する合成樹脂からなり、図７に詳しく示すように、指針８の回転平面と平行な支持部９１と、この支持部９１から回路基板２側に伸びる脚部である側壁部９２とを有する。
【００４８】
支持部９１は、指針８の回転中心に対向する正面視円形に形成され、その指針８側を向く面は指針８の回転平面と平行に伸び、更にその中心には、指針８と指針軸Ｓとの連結を可能とする孔部が９３が形成されている。
【００４９】
この支持部９１は、電力供給により電磁界を発生する電磁界発生手段ＥＭを回路基板２の基板面よりも指針８に近づけるために電磁界発生手段ＥＭを背後から支持する。
【００５０】
電磁界発生手段ＥＭは、例えばＦＰＣ（フレキシブル・プリント・サーキット）からなるフィルム状基板に印刷形成されたコイル状（渦巻き状）配線パターンからなる（図示省略）。このコイル状配線パターンの中心は、指針軸Ｓ位置に近接している。なお電磁界発生手段ＥＭは、コイルボビンに導線を巻いたものでもよい。
【００５１】
この電磁界発生手段ＥＭにより発生する電磁界は、コイルパターン８４に電力を発生させ、指針用光源ＬＮを発光させる対して電磁誘導作用により場合、指針８には、後述する電力発生手段が搭載され、この電力発生手段が電磁界発生手段ＥＭの電磁界を受けて後述する指針用光源に供給する電力を発生させる。
【００５２】
また前記フィルム状基板の端部は、側壁部９２を通って回路基板２の基板面へと引き回され、回路基板２上に搭載したコネクタＣを通じて前記回路パターンと接続される。
【００５３】
側壁部９２は、略円筒形に形成されているが、その適宜箇所には、照明ユニット４側からの光を照明ユニット４側とは反対側に通すための透光部９４が形成されている。
【００５４】
以下、本実施形態による計器装置の組付けを説明する。
まず背面カバー１の開口側から回路基板２を収納して固定する。この際、回路基板２には、予め照明ユニット４と台座部材９、電磁界発生手段ＥＭを装着しておく。
【００５５】
次に回路基板２上に支持部材３、支持部材３上にパネル部材５及び第１の表示板６、パネル部材５及び第１の表示板６上に第２の表示板７の順序で組付け、最後にパネル部材５、第１の表示板６上から指針軸Ｓに各指針８を圧入して完了となる。
【００５６】
次に液晶パネル４６、水温計ＴＥ、燃料計ＦＵ、速度計ＳＰ、エンジン回転計ＴＡの照明について
説明する。
【００５７】
（液晶パネル４６の照明）
照明ユニット４に組み込まれた液晶用光源ＬＰが発光すると、その光は受光面４３１を通じて液晶用導光体４３に入射して内部導光され、これにより液晶用導光体４３が面発光し、その面発光した光が出射面４３２から照射し、背後から液晶パネル４６をバックライト照明する。
【００５８】
（水温計ＴＥ及び燃料計ＦＵ）
回路基板２上に実装された発光ダイオードＬが発光すると、その光は支持部材３を通じて反射導光され、指針８及びパネル部材５の前記指標部を背後から照らす。
【００５９】
（速度計ＳＰ及びエンジン回転計ＴＡを構成する第１，第２の表示板６，７の照明）
照明ユニット４に組み込まれた表示板用光源ＬＤが発光すると、その光は受光面４４１を通じて表示板用導光体４４に入射する。表示板用導光体４４に入射した光は、内部導光されると共に反射部４４４と反射溝４４５とを通じて反射されて各出射面４４２，４４３から出射される。この出射光は、支持部材３の第２の切欠部３５を通じて反射板部３６と第１の表示板６との間に形成された空間部内に照射され、反射板部３６と第１の表示板６との間を繰り返し反射することで、第１の表示板６の前記指標部を背後から照明すると共に、第１の表示板６の前記環状透光部を介して第２の表示板７の前記指標部を背後から照明する。
【００６０】
この際、指針軸Ｓの周囲には台座部材９が配置されているが、この台座部材９の側壁部９２は、照明ユニット４側からの光を照明ユニット４側とは反対側に通すための透光部９４が形成されているため、台座部材９で光の進行がブロックされないように構成している。さらに出射面４４３から出射される光の出射方向は、出射面４４２の出射方向とは若干異なる特定方向に角度調整されており、これによっても台座部材９を挟んで照明ユニット４（出射面４４２）とは反対側の輝度不足を解消するように配慮されている。
【００６１】
また液晶パネル４６の周囲には、図１、図６に示すように、視認方向から見て液晶パネル４６の一部に第１の表示板６の前記指標部の一部が重なるように配置されることで、第１の表示板６に重なり部Ｂが形成されており、この重なり部Ｂに位置する表示板６の前記指標部領域は、液晶パネル４６に重なるため、本来、照明光が液晶パネル４６に遮られて光が届きにくいが、本実施形態では、その一部が液晶パネル４６上に位置する（支持部材３の）第２の支持部３３で第１の表示板６を支持することにより、重なり部Ｂと液晶パネル４６領域との間には空間部Ｋが形成され、この空間部Ｋ内に照明ユニット４の透光孔４５４を通じて表示板用導光体４４の光を導入し、この導入光で重なり部Ｂ内の前記指標部領域を照明するようにしている。
【００６２】
なお本実施形態では、空間部Ｋに導入した表示板用導光体４４の光で重なり部Ｂを照明するようにしたが、照明効率を高めるために透光孔４５４上に透光孔４５４を通過した光を重なり部Ｂに反射する反射部材（図示しない）を設けてもよい。また表示板用導光体４４を重なり部Ｂまで延長し、この延長部（図示しない）で重なり部Ｂを照明してもよい。
【００６３】
（速度計ＳＰ及びエンジン回転計ＴＡを構成する指針８の照明）
電磁界発生手段ＥＭへの電力供給により電磁界が発生し、この電磁界による電磁誘導作用によってのコイルパターン８４に電力が発生し、その電力で指針用光源ＬＮが発光し、その光が指示部８１に入射して発光する。
【００６４】
以上のように本実施形態では、駆動本体Ｍと、この駆動本体Ｍに連結された指針８と、この指針８によって指示される指標部を有する第１の表示板（表示板）６と、この第１の表示板６を照明する表示板用光源ＬＤと、この表示板用光源ＬＤの光を第１の表示板６に導く表示板用導光体４４と、各種情報を表示する液晶パネル４６と、この液晶パネル４６を照明する液晶用光源ＬＰと、この液晶用光源ＬＰの光を液晶パネル４６に導く液晶用導光体４３と、第１の表示板６及び液晶パネル４６の背後で駆動本体Ｍと液晶パネル４６とが電気接続される回路基板２とを備え、表示板用導光体４４と液晶用導光体４３のそれぞれに表示板用光源ＬＤと液晶用光源ＬＰの光がエッヂライト方式にて入射するように表示板用導光体４４と液晶用導光体４３のそれぞれの側端面に形成した各受光面４１３，４４１に表示板用光源ＬＤと液晶用光源ＬＰを対向配置してなる計器装置において、液晶用導光体４３の受光面４３１と対向する第１の基板部４８１と表示板用導光体の受光面４４１と対向する第２の基板部４８２とを連続して有する光源基板４８を設け、前記第１，第２の基板部４８１，４８２に表示板用光源ＬＤと液晶用光源ＬＰをそれぞれ実装してなることにより、表示板用光源ＬＤを実装する光源基板４８と液晶用光源ＬＰを実装する光源基板４８を共通化できるため、光源基板４８が一枚で済み、部品数を削減できる、コストダウンを達成することができる。
【００６５】
また本実施形態は、少なくとも液晶パネル４６及び液晶用導光体４３を支持する金属製の背面フレーム（ベース部材）４１を有し、この背面フレーム４１に光源基板４８を取り付けたことにより、光源基板４８を取り付けるための専用部品が不要となり、また表示板用光源ＬＤと液晶用光源ＬＰの放熱を背面フレーム４１で行うことで放熱部材を共通化できるため、更なるコスト削減が可能となる。
【００６６】
また本実施形態は、表示板用導光体４４と液晶用導光体４３とを連結部４９を介して一体化してなることにより、部品点数を削減し、更なるコスト削減が可能となる。
【００６７】
また本実施形態は、液晶パネル４６と、表示板用導光体４４と、液晶用導光体４３と、光源基板４８とを背面フレーム４１と、第１の中間フレーム４２と、第２の中間フレーム４５と、前面フレーム４７とからなる所定部材を通じて結合してなることにより、液晶パネル４６と、表示板用導光体４４と、液晶用導光体４３と、光源基板４８とをユニット化でき、これにより組付けを容易とし、更なるコスト削減が可能となる。
【００６８】
また本実施形態は、視認方向から見て前記指標部の一部が液晶パネル４６に重なるように第１の表示板６が配置されることで重なり部Ｂが形成されており、この重なり部Ｂと液晶パネル４６との間に空間部Ｋを設け、この空間部Ｋに表示板用導光体４４の光を導入して重なり部Ｂに位置する前記指標部を照明する構成としたことにより、第１の表示板６の一部が液晶パネル４６に重なった場合でも専用の照明手段を設けることなく重なり部Ｂ内の前記指標部を照明でき、コスト削減が可能となる。
【００６９】
（第２の実施形態）
本発明の第２の実施形態では、図８に示すように、表示板用導光体４４の形状が前記第１の実施形態とは相違している。
【００７０】
すなわち、本実施形態では表示板用導光体４４を例えばＤ字形に形成すると共に、これらＤ字形の表示板用導光体４４に対応させて光源基板４８及び側壁部４１３を図中、左右方向に延長形成している。なお表示板用導光体４４は形状は任意である。
【００７１】
また前記第１，第２の実施形態では、表示板用導光体４４を二つ設けたが、表示板用導光体４４の数は任意である。
【００７２】
また前記第１，第２の実施形態では、光源基板４８に表示板用光源ＬＤと液晶用光源ＬＰをそれぞれ実装したが、指針８や他の発光表示装置（例えば警報・報知インジケータ）を照明するための光源を実装してもよい。この場合、光源基板４８に指針８や他の発光表示装置（例えば警報・報知インジケータ）を照明する光源を実装するための延長部を設ければよい。
【符号の説明】
【００７３】
１  背面カバー
２  回路基板
３  支持部材
４  照明ユニット
５  パネル部材
６  第１の表示板
７  第２の表示板
８  指針
９  台座部材
３１  周壁
３２  第１の支持部
３３  第２の支持部
３４  第１の切欠部
３５  第２の切欠部
３６  反射板部（反射部材）
４１  背面フレーム（ベース部材）
４２  第１の中間フレーム
４３  液晶用導光体
４４  文字板用導光体
４５  第２の中間フレーム
４６  液晶パネル
４７  前面フレーム
４８  光源基板
４９  連結部
５１  開口孔
８１  指示部
８２  キャップ
８３  指針基板
８４  コイルパターン（電力発生手段）
９１  支持部
９２，４７２  側壁部
９３  孔部
９４  透光部
４１１  底板部
４１２，４１３  側壁部
４２１  収納部
４２２  導光体支持部
４２３  仕切壁
４２４  切欠部
４３１，４４１  受光面
４３２，４４２，４４３  出射面
４４４  反射部
４４５  反射溝
４５１  収納部
４５２  覆い部
４５３  保持部
４５４  透光孔
４７１  底板部（前板部）
４８１  第１の基板部
４８２  第２の基板部
ＥＭ  電磁界発生手段
Ｌ  発光ダイオード
Ｍ  駆動本体
Ｓ  指針軸
ＬＰ  液晶用光源
ＬＤ  表示板用光源
ＬＮ  指針用光源
ＦＵ  燃料計
ＳＰ  速度計
ＴＡ  エンジン回転計
ＴＥ  水温計
【図１】
2011158285.tif 000003
【図２】
2011158285.tif 000004
【図３】
2011158285.tif 000005
【図４】
2011158285.tif 000006
【図５】
2011158285.tif 000007
【図６】
2011158285.tif 000008
【図７】
2011158285.tif 000009
【図８】
2011158285.tif 000010